(57)【特許請求の範囲】
【請求項１】
相手側コネクタのフード部に内嵌可能であるとともに同フード部内に配された相手側端子と接続可能な端子を収容するインナハウジングと、同インナハウジングに対して前記相手側コネクタとの嵌合方向に相対的にスライド可能に組み付けられたアウタハウジングと、を備え、
前記インナハウジングの外周面には、同外周面から外側へ突出するフランジ部が設けられるとともに、このフランジ部には前記相手側コネクタとの嵌合方向に貫通する貫通口が形成され、また、前記アウタハウジングには、前記フランジ部よりも前記相手側コネクタとの嵌合方向後側において同フランジ部と対向して配される対向壁が設けられており、
前記インナハウジングにはゴム部材が装着され、このゴム部材には、前記インナハウジングの外周面のうち前記フランジ部よりも前記相手側コネクタとの嵌合方向前側に嵌着可能な略筒状をなすシール部と、このシール部に一体的に設けられて前記貫通口を前記相手側コネクタとの嵌合方向後方へ貫通可能な形状をなす脚部と、この脚部と一体的に設けられて前記貫通口の周縁部に前記相手側コネクタとの嵌合方向後方から係合可能な形状をなして前記フランジ部と前記対向壁との間に配されるがた止め部とが備えられ、
前記がた止め部の外側には、前記フランジ部と前記対向壁との間において前記がた止め部が外側に広がることを許容する空間が設けられ、前記がた止め部は、前記フランジ部と前記対向壁とに押圧されてその空間に広がることを特徴とする防水コネクタ。
【請求項２】
前記フランジ部は前記インナハウジングの全周にわたって設けられ、前記貫通口は前記インナハウジングの全周を包囲する複数箇所の位置に複数が形成されていることを特徴とする請求項１に記載の防水コネクタ。
【請求項３】
前記がた止め部のうち前記相手側コネクタとの嵌合方向後側の縁部には、同嵌合方向後方へ向かって前記脚部からの突出寸法が小さくなる傾斜の後側傾斜面が形成されていることを特徴とする請求項１または請求項２に記載の防水コネクタ。
【請求項４】
前記がた止め部のうち前記相手側コネクタとの嵌合方向前側の縁部には、同嵌合方向前方へ向かって前記脚部からの突出寸法が小さくなる傾斜の前側傾斜面が形成されていることを特徴とする請求項１〜請求項３のいずれか１項に記載の防水コネクタ。
【請求項５】
前記貫通口の前記相手側コネクタとの嵌合方向前側の周縁部には、同嵌合方向前方へ向かって前記貫通口の開口幅寸法を大きくする傾斜をなす誘導面が形成されていることを特徴とする請求項１〜請求項４のいずれか１項に記載の防水コネクタ。
【請求項６】
前記フランジ部には、前記フード部の開口端部に形成された環状リブが差し込まれる環状溝が形成され、この環状溝には前記環状リブによって内外方向に押圧される突起部が設けられていることを特徴とする請求項１〜請求項５のいずれか１項に記載の防水コネクタ。
【請求項７】
前記アウタハウジングには、前記相手側コネクタに対して前記相手側コネクタとの嵌合方向に係合するロック機構が設けられていることを特徴とする請求項１〜請求項６のいずれか１項に記載の防水コネクタ。
【発明の詳細な説明】
【技術分野】
【０００１】
本発明は、シール部材を備えた防水コネクタに関する。
【背景技術】
【０００２】
従来、相手側コネクタとの間をシールするシール部材を備えた防水コネクタとして、例えば特許文献１に記載のものが知られている。この防水コネクタは、前後方向（相手側コネクタとの嵌合方向）に相対的にスライド可能に組み付けられたインナハウジングとアウタハウジングとの２部品からなるものであり、インナハウジングの前端部に防水パッキン（シール部材）が嵌着されている。そして、防水コネクタが相手側コネクタと正規の嵌合状態に至ると、防水パッキンがインナハウジングと相手側コネクタのフード部との間に狭持された状態になってこれらの間をシールする。
【特許文献１】特開２００６−２４４５６公報
【発明の開示】
【発明が解決しようとする課題】
【０００３】
ところで、上記のコネクタにおいては、振動等によるコネクタ間のがた付きを防止するため、金属製のコイルバネが一対備えられている。一対のコイルバネは、インナハウジングの後部に形成されたバネ収容穴と、アウタハウジングの後壁に形成されたバネ収容穴とに、それぞれ前端部と後端部とを収容した状態でインナハウジングとアウタハウジングとの間に装着される。
そして、防水コネクタが相手側コネクタと正規の嵌合状態に至ると、一対のコイルバネがインナハウジングとアウタハウジングとの間で弾性収縮した状態になり、その弾性力によってインナハウジングが相手側に付勢された状態に保持される。これにより、コネクタ間のがた付きが抑えられ、もって端子間の摩耗が防止される。
しかしながら、このような構成によれば、コネクタ間をシールするための防水パッキンに加えて、コネクタ間のがた付きを抑えるためのコイルバネが必要であり、部品点数が多いという問題がある。
【０００４】
本発明は上記のような事情に基づいて完成されたものであって、コネクタ間のがた付きを防止しつつ部品点数の削減を図ることが可能な防水コネクタを提供することを目的とする。
【課題を解決するための手段】
【０００５】
本発明の防水コネクタは、相手側コネクタのフード部に内嵌可能であるとともに同フード部内に配された相手側端子と接続可能な端子を収容するインナハウジングと、同インナハウジングに対して前記相手側コネクタとの嵌合方向に相対的にスライド可能に組み付けられたアウタハウジングと、を備え、前記インナハウジングの外周面には、同外周面から外側へ突出するフランジ部が設けられるとともに、このフランジ部には前記相手側コネクタとの嵌合方向に貫通する貫通口が形成され、また、前記アウタハウジングには、前記フランジ部よりも前記相手側コネクタとの嵌合方向後側において同フランジ部と対向して配される対向壁が設けられており、前記インナハウジングにはゴム部材が装着され、このゴム部材には、前記インナハウジングの外周面のうち前記フランジ部よりも前記相手側コネクタとの嵌合方向前側に嵌着可能な略筒状をなすシール部と、このシール部に一体的に設けられて前記貫通口を前記相手側コネクタとの嵌合方向後方へ貫通可能な形状をなす脚部と、この脚部と一体的に設けられて前記貫通口の周縁部に前記相手側コネクタとの嵌合方向後方から係合可能な形状をなして前記フランジ部と前記対向壁との間に配されるがた止め部とが備えられ、前記がた止め部の外側には、前記フランジ部と前記対向壁との間において前記がた止め部が外側に広がることを許容する空間が設けられ、前記がた止め部は、前記フランジ部と前記対向壁とに押圧されてその空間に広がるところに特徴を有する。
【０００６】
このような構成によれば、防水コネクタが相手側コネクタと正規の嵌合状態に至ると、ゴム部材のシール部がフード部とインナハウジングの外周面とに密着してこの間がシールされた状態になり、また、がた止め部がフランジ部と対向壁との間で押圧されて弾性収縮し、その弾性力によってインナハウジングは相手側コネクタとの嵌合方向前方に押圧され、前後方向のがた付きが防止された状態になる。このように、一のゴム部材がコネクタ間をシールするシール部と、コネクタ間のがた付きを防止するがた止め部とを備えているから、これらが別部品である場合に比べて、部品点数の削減を図ることができる。
【０００７】
前記フランジ部は前記インナハウジングの全周にわたって設けられ、前記貫通口は前記インナハウジングの全周を包囲する複数箇所の位置に複数が形成されているものとしてもよい。これにより、インナハウジングの全周を包囲する位置においてがた止めがなされる。
【０００８】
前記がた止め部のうち前記相手側コネクタとの嵌合方向後側の縁部には、同嵌合方向後方へ向かって前記脚部からの突出寸法が小さくなる傾斜の後側傾斜面が形成されているものとしてもよい。このような構成によれば、ゴム部材を装着する際、後側傾斜面の傾斜により、がた止め部が貫通口の前縁部に引っ掛かることなく比較的スムーズに挿入することができる。
【０００９】
また、前記がた止め部のうち前記相手側コネクタとの嵌合方向前側の縁部には、同嵌合方向前方へ向かって前記脚部からの突出寸法が小さくなる傾斜の前側傾斜面が形成されているものとしてもよい。このような構成によれば、ゴム部材を離脱する際、前側傾斜面の傾斜により、がた止め部が貫通口の後縁部に引っ掛かることなく比較的スムーズに引き抜くことができる。
【００１０】
さらに、前記貫通口の前記相手側コネクタとの嵌合方向前側の周縁部には、同嵌合方向前方へ向かって前記貫通口の開口幅寸法を大きくする傾斜をなす誘導面が形成されているものとしてもよい。これにより、がた止め部が誘導面の傾斜に誘導されて貫通口に挿入されるから、ゴム部材の装着を容易に行うことができる。
【００１１】
前記フランジ部には、前記フード部の開口端部に形成された環状リブが差し込まれる環状溝が形成され、この環状溝には前記環状リブによって内外方向に押圧される突起部が設けられているものとしてもよい。
また、前記アウタハウジングには、前記相手側コネクタに対して前記相手側コネクタとの嵌合方向に係合するロック機構が設けられているものとしてもよい。
【発明の効果】
【００１２】
本発明によれば、コネクタ間のがた付きを防止しつつ部品点数の削減を図ることが可能な防水コネクタを提供することができる。
【発明を実施するための最良の形態】
【００１３】
以下、本発明の実施形態を図１〜図６によって説明する。
本実施形態における防水コネクタは、雌型のコネクタ（以後、雌コネクタ１０と称する）であって、雄コネクタ５０（本発明の相手側コネクタに該当する）と嵌合可能とされている。
以下、各構成部材において、両コネクタ１０，５０における嵌合面側を前方とし、また、図１の上側を上方、下側を下方として説明する。
【００１４】
雄コネクタ５０は、前後方向に長い２本の雄端子５１（本発明の相手側端子に該当する）と、この雄端子５１を保持する雄ハウジング５２とを備えている。雄ハウジング５２は合成樹脂製であって、雄端子５１を前後方向に貫通させた姿勢で保持する端子保持部５３と、端子保持部５３の周縁から前方へ突出する筒状のフード部５４とにより構成されている。
【００１５】
フード部５４は、雄端子５１のうち端子保持部５３から前方に突出した部分を囲う若干横長の形状をなして前方へ開口している。このフード部５４の開口端部（前端部）には、リング状をなして前方へ突出する環状リブ５５が設けられている。また、フード部５４の上面には、ロック突部５６が突設されている。
【００１６】
フード部５４の内周面の奥側（嵌合方向における後側）には、複数の突出部５７が設けられている。各突出部５７は、フード部５４の内周面のうち上面および下面に一対ずつと両側面に一対の、計６箇所に設けられている。
【００１７】
雌コネクタ１０は、雄端子５１と接続可能な雌端子１１（本発明の端子に該当する）を備えている。雌端子１１は全体として前後方向に長い形状をなし、前側には雄端子５１と接続可能な略箱形の接続部１１Ａが、後側にはバレル部１１Ｂが備えられている。バレル部１１Ｂには、電線Ｗの端末とともに電線用ゴム栓１２が圧着されている。電線用ゴム栓１２は、後述する端子収容室１４の内周面に密着し、端子収容室１４内の防水を図る。
【００１８】
雌コネクタ１０は、雌端子１１を収容可能であるとともに雄コネクタ５０のフード部５４に内嵌可能なインナハウジング１３を備えている。インナハウジング１３は合成樹脂製であって、前後方向に長い略ブロック状をなしている。
【００１９】
インナハウジング１３には、雌端子１１を後方から挿入可能な２つの端子収容室１４が横並びに形成されている。各端子収容室１４の下壁には、前方へ向けて片持ち状に突出するランス１６が設けられている。なお、インナハウジング１３の後端部は、各端子収容室１４と連通して円筒部分が横並びに配された端子挿入部１５とされている。
【００２０】
インナハウジング１３の前側部分には、複数のがた止めリブ２２が外周面から突設されている。がた止めリブ２２は、インナハウジング１３の外周面に一体に形成され、雄ハウジング５２の突出部５７に対応する位置、計６箇所に設けられている。
【００２１】
インナハウジング１３の前後方向中央部よりもやや後側位置には、リテーナ装着部１７が設けられている。リテーナ装着部１７は、各端子収容室１４と連通してインナハウジング１３の下面側に開口している。
【００２２】
リテーナ装着部１７に装着されるリテーナ１８は、いわゆるサイドタイプのリテーナ１８であって、合成樹脂材により形成されており、リテーナ装着部１７に対して本係止位置に装着されると、雌端子１１の接続部１１Ａに後方から係合して雌端子１１の抜止めを図る。このリテーナ１８の後端部のうち下端縁から両側縁にかけての部分には、インナハウジング１３の外周面から一回り外側の位置を囲って後方に開口する形状をなす収容凹部１９が形成されている。
【００２３】
インナハウジング１３の外周面のうちリテーナ装着部１７の後側部分は、後述するゴム部材４０のシール部４１が嵌着される嵌着部２１とされている。嵌着部２１の断面形状（前後方向に対して直交方向の断面形状）は若干横長の略長方形をなし、その外周面は凹凸のない平坦な面とされ、また４つの角部は弧状をなしている。
【００２４】
インナハウジング１３の後側位置（詳しくは端子挿入部１５の前側で、かつ嵌着部２１の後側となる位置）には、インナハウジング１３の外周面から全周にわたって外側（両コネクタ１０，５０の嵌合方向に対して直交方向）に突出するフランジ部２３が設けられている。
【００２５】
フランジ部２３の前面には、環状リブ５５を差し込み可能な環状溝２４が形成されている。環状溝２４は、インナハウジング１３の全周を包囲する若干横長のリング状をなしている（図３参照）。環状溝２４を構成する周面のうちの外側面２４Ａには、環状リブ５５に押圧される複数の突起部２５が設けられている。突起部２５は、環状溝２４の上下左右に２箇所ずつ互いに対向する位置、計８箇所、言い換えると、インナハウジング１３の全周を包囲する位置に配されている。
【００２６】
フランジ部２３の後面は、インナハウジング１３の外周面に対して略垂直方向に切り立った凹凸のないフラットな面（以後、第１押圧面２３Ａと称する）とされている。
【００２７】
フランジ部２３のうちインナハウジング１３に連なる根元側には貫通口２６が形成されている。貫通口２６は、フランジ部２３のうちインナハウジング１３の上側、下側、左側および右側の計４箇所、すなわちインナハウジング１３の全周を包囲する位置に形成されている（図３参照）。インナハウジング１３の上側と下側とに配された貫通口２６は、インナハウジング１３の幅方向の中央に位置し、左側と右側とに配された貫通口２６は、インナハウジング１３の高さ方向の中央に位置している。
【００２８】
各貫通口２６は、インナハウジング１３の周方向に長い略長方形の断面形状をなし、フランジ部２３を前後方向に貫通している。各貫通口２６の周面のうち内側（インナハウジング１３側）の面は、インナハウジング１３の外周面と面一とされている。
各貫通口２６の前側の開口縁部には、誘導面２７が形成されている。誘導面２７は、各貫通口２６の長手方向両端部に形成され、前方へ向かって貫通口２６の長手方向の幅寸法（貫通口２６の開口幅寸法）を少しずつ大きくする傾斜をなしている。
【００２９】
雌コネクタ１０は、インナハウジング１３の周りを覆うアウタハウジング３１を備えている。アウタハウジング３１はインナハウジング１３と別体とされ、インナハウジング１３に対して相対的に前後方向にスライド可能に組み付けられている。
【００３０】
アウタハウジング３１は合成樹脂製であって、フランジ部２３よりも一回り大きい外形形状をなしてフランジ部２３の後側で対向して配される対向壁３２と、対向壁３２の周縁から略筒状をなして前方へ突出する外筒部３３とにより構成されている。外筒部３３とインナハウジング１３との間には、雄コネクタ５０のフード部５４を嵌合可能な間隔が空けられている。
【００３１】
対向壁３２には、インナハウジング１３の端子挿入部１５を遊挿可能な遊挿孔３４が前後方向に貫通して形成されている。対向壁３２の前面は、フランジ部２３の第１押圧面２３Ａと略平行をなして対向する平坦な面（以後、第２押圧面３２Ａと称する）とされている。
【００３２】
アウタハウジング３１には、雄コネクタ５０のロック突部５６と係合して両コネクタ１０，５０を正規の嵌合状態にロックするロックアーム３５（本発明のロック機構に該当する）が設けられている。
【００３３】
インナハウジング１３には、ゴム部材４０が装着されている。ゴム部材４０は前後方向に長い形状をなし、その略前半部分はインナハウジング１３の嵌着部２１に外嵌可能な横長の略筒状をなすシール部４１とされている。シール部４１の前後方向寸法は、嵌着部２１の前後方向寸法（フランジ部２３の前面からリテーナ装着部１７の後側位置まで）の寸法とほぼ等しい寸法とされている。シール部４１は、その前後方向中央部が径方向外側に膨出する形状をなし、前端部と後端部とは薄肉化されている。このシール部４１の前端部（薄肉化された部分）は、本係止位置に装着されたリテーナ１８の収容凹部１９に収容された状態になり、確実にゴム部材４０の前方への抜け出しが規制される。シール部４１の内周面のうち前後方向ほぼ中央位置には、防水効果を良好にするためのリップ部４２が形成されている。ゴム部材４０がインナハウジング１３に装着されると、シール部４１は、その内周面のうち前後両端部とリップ部４２とが嵌着部２１の外周面に密着するとともに、外側に膨出した部分が環状溝２４の前方に張り出した状態となる。
【００３４】
ゴム部材４０の略後半部分は、シール部４１と一体に設けられて後方へ延出する脚部４３とされている。脚部４３は、貫通口２６を後方へ貫通可能な形状をなし、シール部４１の周縁部のうち貫通口２６と対応する位置（シール部４１の上下左右位置）にそれぞれ１脚ずつ、計４脚が設けられている（図４参照）。
【００３５】
各脚部４３は、シール部４１の周方向に横長の断面形状（前後方向に対して略垂直方向の断面形状）であって、貫通口２６の断面形状と等しいか若干大きい形状とされ、また各脚部４３を内外方向に見ると、前後方向に長い略長方形状をなしている（図５および図６参照）。各脚部４３は板状をなし、その内外方向の厚さ寸法は、シール部４１のうち薄肉化された前後両端部の厚さ寸法とほぼ等しい寸法とされている。各脚部４３の内側の面はシール部４１の内周面と面一とされている。
【００３６】
各脚部４３の前後方向略後半部分には、がた止め部４４が設けられている。がた止め部４４は、脚部４３と一体に設けられて外側（嵌合方向と交差方向）に突出している。各がた止め部４４は、各脚部４３の全幅にわたって形成され、各がた止め部４４を内外方向から見ると若干幅方向に長い略長方形をなしている。がた止め部４４は、脚部４３の内外方向の厚さ寸法とほぼ等しい寸法分だけ脚部４３の外側の面から突出する形状をなし、すなわちがた止め部４４と脚部４３の略後半部分とを合わせた内外方向の厚さ寸法は、貫通口２６の内外方向の開口寸法（高さ寸法）のほぼ２倍の寸法とされている。そして、脚部４３の略後半部分（がた止め部４４が形成されている部分）が貫通口２６を後方へ貫通すると、がた止め部４４が貫通口２６の周縁部に後方から係合した状態となる。なお、がた止め部４４の突出端面の位置は、シール部４１の膨出部分の最外側面の位置よりも若干内側位置に配されている。
【００３７】
各がた止め部４４の前縁部には、前方へ向かって突出寸法が小さくなる傾斜の前側傾斜面４５が形成され、後縁部には、後方へ向かって突出寸法が小さくなる傾斜をなす後側傾斜面４６が形成されている。前後両傾斜面４５，４６は、各がた止め部４４の全幅にわたって形成されている。シール部４１の上下左右に配された全脚部４３およびがた止め部４４はそれぞれほぼ等しい形状をなしている。
【００３８】
次に、ゴム部材４０のインナハウジング１３への嵌着について説明する。
このゴム部材４０は、リテーナ１８が未装着の状態のインナハウジング１３に対して前方から嵌着される。まずゴム部材４０を、シール部４１が前側、がた止め部４４が後側となる向きにして、４本の脚部４３をインナハウジング１３の外周面に沿わせるように、言い換えると、４本の脚部４３の内側にインナハウジング１３の前端部が配されるようにして、インナハウジング１３の前端部に装着する。そして、ゴム部材４０を後方へ移動させると、各脚部４３の内周面およびシール部４１の内周面がインナハウジング１３の外周面に沿いながら後方へ移動し、各がた止め部４４の後側傾斜面４６が貫通口２６の前端縁に接触する。また各がた止め部４４の幅方向両端部が貫通口２６の誘導面２７に接触した状態となる。
【００３９】
この状態から、ゴム部材４０を後方へ押すと、がた止め部４４の後側傾斜面４６が貫通口２６の前端縁との接触によって少しずつ内側へ押圧され、それに伴ってがた止め部４４の後端部が内側へ少しずつ潰れていく。また、がた止め部４４の幅方向両端部が誘導面２７よって少しずつ幅方向内側へ押圧され、それに伴ってがた止め部４４の幅方向寸法が少しずつ縮んでいく。そして、がた止め部４４は貫通口２６内に収まる大きさまで弾性収縮し、がた止め部４４が貫通口２６を後方へ貫通すると、復元変形して貫通口２６の周縁部に後方から係合する。
【００４０】
このように、フランジ部２３の貫通口２６にがた止め部４４を貫通させる際、後側傾斜面４６の傾斜および貫通口２６の誘導面２７により、がた止め部４４が貫通口２６の前縁に引っ掛かることなく少しずつ弾性収縮してスムーズに挿入されるから、ゴム部材４０の装着を容易に行うことができる。
【００４１】
また、ゴム部材４０をインナハウジング１３から取り外す際には、ゴム部材４０を前方へ引っ張るとがた止め部４４の前側傾斜面４５が少しずつ貫通口２６の後縁との接触により内側に押圧され、これに伴ってがた止め部４４の前端部は内側へ少しずつ潰れていき、がた止め部４４は貫通口２６の後縁に引っ掛かることなくスムーズに引き抜かれる。したがって、がた止め部４４に前側傾斜面４５があることにより、ゴム部材４０を離脱する作業を容易に行うことができる。
【００４２】
次に、両コネクタ１０，５０の嵌合について説明する。
両コネクタ１０，５０を互いに向き合わせて接近させると、インナハウジング１３の前端部がフード部５４内に挿入され、フード部５４はインナハウジング１３とアウタハウジング３１の外筒部３３との間に挿入されていく。そして、インナハウジング１３のがた止めリブ２２は、フード部５４の突出部５７の突出端に接触して押圧された状態になり、また雄端子５１は雌端子１１の接続部１１Ａ内に進入していく。
【００４３】
さらに両コネクタ１０，５０を接近方向に押し付けると、フード部５４の先端部がゴム部材４０のシール部４１の外側位置に達し、シール部４１の膨出部分を内側に押し潰すようにしながら奥へと進む。そして、フード部５４の環状リブ５５は、シール部４１の弾性復元力により外側へ押されつつフランジ部２３の環状溝２４に差し込まれ、突起部２５を押圧した状態で環状溝２４に収容される。
【００４４】
さらに両コネクタ１０，５０を接近方向に押し付けると、フード部５４の先端部がフランジ部２３を後方へ押圧し、フランジ部２３と対向壁３２との間に配されたがた止め部４４が、第１押圧面２３Ａと第２押圧面３２Ａとに押圧されて弾性的に収縮していく。
【００４５】
アウタハウジング３１がインナハウジング１３に対して相対的に前進し、両コネクタ１０，５０が正規の嵌合状態に至ると、ロックアーム３５の先端部がロック突部５６を乗り越えて弾性復帰する。そして、ロックアーム３５とロック突部５６とが前後方向に係合した状態になり、両コネクタ１０，５０が正規の嵌合状態にロックされる（図１参照）。また、ゴム部材４０のシール部４１は、フード部５４の内周面とインナハウジング１３の外周面とに密着してこの間がシールされた状態になる。さらに、がた止め部４４および脚部４３の略後半部分はフランジ部２３と対向壁３２とに押圧されて弾性収縮し、その弾性力によってインナハウジング１３（詳しくはフランジ部２３の第１押圧面２３Ａ）は前方（端子保持部５３側）に押圧され、前後方向のがた付きが防止される。また、がた止め部４４の弾性力によりアウタハウジング３１（詳しくは対向壁３２の第２押圧面３２Ａ）は後方（ロックアーム３５のロック突部５６に対する係合方向）へ押圧された状態になってロック部分における前後方向のがた付きが防止される。
【００４６】
このように、一のゴム部材４０により、両コネクタ１０，５０間のシールとがた付きの防止とが実現される。したがって、両コネクタ１０，５０間のシールのためのシール部材と、がた止めのためのがた止め部材とを、それぞれ別部品として備えなければならない場合に比べて、部品点数の削減を図ることができる。
【００４７】
なお、がた止め部４４は、インナハウジング１３とアウタハウジング３１との間で押圧されると、第１押圧面２３Ａと第２押圧面３２Ａとに沿って広がる。これにより、例えば金属製のバネ部材を替わりに用いた場合に比べてフランジ部２３と対向壁３２とに作用する接触圧は分散されて小さくなるから、クリープ対策を施す必要がない。
【００４８】
加えて、インナハウジング１３にゴム部材４０を装着するための構造としては、フード部５４に貫通口２６を設けるだけでよく、例えば、金属製のバネ部材を使用するために、インナハウジングとアウタハウジングとにそれぞれバネ部材の前端部および後端部を収容するためのバネ収容穴等を形成する場合に比べて、インナハウジング１３およびアウタハウジング３１の構造を簡素化することができる。
【００４９】
そして、貫通口２６は、インナハウジング１３の全周を包囲する位置に形成され、この貫通口２６に対応した位置にがた止め部４４が配される。これにより、インナハウジング１３の全周を包囲する位置において両コネクタ１０，５０間の前後方向のがた付きを防止することができる。また、全がた止め部４４および脚部４３の外形形状はほぼ等しくされ、すなわち各がた止め部４４および脚部４３のうち弾性収縮する部分の剛性はほぼ等しいから、インナハウジング１３の全周を包囲する４箇所においてほぼ等しい弾性力が作用するので、偏りなくがた付きの防止を実現できる。
【００５０】
なお、シール部４１の弾発力により、環状リブ５５は環状溝２４の外側面に押し付けられて突起部２５に食い込み、環状リブ５５と環状溝２４とが全周にわたって強固に固定された状態で保持される。
【００５１】
また、インナハウジング１３の前端部においては、全がた止めリブ２２がフード部５４の突出部５７に密着しており、インナハウジング１３とフード部５４との間でのがた付きが規制される。このように、インナハウジング１３の前側および後側の両側（両端子１１，５１の接続部分の前後両側）で、雄ハウジング５２とインナハウジング１３とのがた付きが規制されるから、両コネクタ１０，５０が強い振動を受けても両端子１１，５１の擦れ合いを防止できる。
【００５２】
以上説明したように本実施形態によれば、雌コネクタ１０が雄コネクタ５０と正規の嵌合状態に至ると、ゴム部材４０のシール部４１がフード部５４の内周面とインナハウジング１３の外周面とに密着してこの間がシールされた状態になる。また、がた止め部４４がフランジ部２３と対向壁３２とに押圧されて弾性収縮し、その弾性力によってインナハウジング１３は前方に押圧され、前後方向のがた付きが防止された状態になる。このように、一のゴム部材４０が、両コネクタ１０，５０間をシールするシール部４１と、両コネクタ１０，５０間のがた付きを防止するがた止め部４４とを備えているから、これらを別部品とする場合に比べて、部品点数の削減を図ることができる。したがって、両コネクタ１０，５０間のシール性を確保し、また両コネクタ１０，５０間のがた付きを防止しつつも、部品点数の削減を図ることが可能となる。
【００５３】
＜他の実施形態＞
本発明は上記記述及び図面によって説明した実施形態に限定されるものではなく、例えば次のような実施形態も本発明の技術的範囲に含まれる。
【００５４】
（１）上記実施形態では、各貫通口２６の周面のうち内側の面はインナハウジング１３の外周面と面一とされ、脚部４３はシール部４１の内周面と面一に延出しているが、これに限らず、貫通口はフランジ部を前後方向に貫通していれば、その内外方向の位置や形状等はどのようであってもよく、また脚部はその貫通口を後方に貫通可能であればどのような形状であってもよい。
【００５５】
（２）上記実施形態では、貫通口２６は、インナハウジング１３の全周を包囲する位置に形成されているが、これに限らず、例えばインナハウジングの上側および下側のみ、または左側および右側のみ等に形成してもよい。
（３）上記実施形態では、がた止め部４４には前側傾斜面４５および後側傾斜面４６が形成されているが、いずれも形成しなくてもよく、また一方だけを形成してもよい。
【００５６】
（４）上記実施形態では、貫通口２６には誘導面２７が形成されているが、必ずしも誘導面は形成しなくてもよい。
（５）上記実施形態では、フランジ部２３には環状溝２４が形成されているが、環状溝は必ずしも形成しなくてもよい。
【００５７】
（６）上記実施形態では、フランジ部２３はインナハウジング１３の全周にわたって設けられているが、これに限らず、例えばインナハウジングの周方向に間欠的に設けられていてもよい。
【図面の簡単な説明】
【００５８】
【図１】本実施形態における雌コネクタと雄コネクタとの正規の嵌合状態を表す側断面図
【図２】雌コネクタの側断面図
【図３】雌コネクタの正面図
【図４】ゴム部材の正面図
【図５】ゴム部材の側面図
【図６】ゴム部材の平面図
【符号の説明】
【００５９】
１０…雌コネクタ（防水コネクタ）
１１…雌端子（端子）
１３…インナハウジング
２３…フランジ部
２４…環状溝
２５…突起部
２６…貫通口
２７…誘導面
３１…アウタハウジング
３２…対向壁
３５…ロックアーム（ロック機構）
４０…ゴム部材
４１…シール部
４３…脚部
４４…がた止め部
４５…前側傾斜面
４６…後側傾斜面
５０…雄コネクタ（相手側コネクタ）
５１…雄端子（相手側端子）
５４…フード部
５５…環状リブ
【図１】
0004941744.tif 000002
【図２】
0004941744.tif 000003
【図３】
0004941744.tif 000004
【図４】
0004941744.tif 000005
【図５】
0004941744.tif 000006
【図６】
0004941744.tif 000007